(57)【要約】【課題】保温、吸湿、通気性の特性を兼備え、冬でも夏でも使用可能な掛布団を提供する。【解決手段】掛布団は、掛布団本体１０を含む。掛布団本体１０は、第１の保温層１１及び第２の保温層１２を含む。第１の保温層１１は、第１の繊維と、ポリエステル（ＰＥＴ）繊維と、結合剤とが混合されて製作された中綿からなる。第１の繊維は動物性タンパク繊維である。第２の保温層１２は、第２の繊維と、ポリエステル（ＰＥＴ）と、結合剤とが混合されて製作された中綿からなる。第２の繊維は、レーヨン繊維、リヨセル（ｌｙｏｃｅｌｌ）繊維、モダール（ｍｏｄａｌ）繊維、キュプロ（ｃｕｐｒｏ）繊維及び合成繊維からなる群から選ばれる。第１の保温層１１と第２の保温層１２とが重ねられる。【選択図】図１
0003206974.tif 000002
【実用新案登録請求の範囲】
【請求項１】
掛布団本体を含む掛布団であって、
前記掛布団本体は、第１の保温層及び第２の保温層を含み、
前記第１の保温層は、第１の繊維と、ポリエステル（ＰＥＴ）繊維と、結合剤とが混合されて製作された中綿からなり、前記第１の繊維は動物性タンパク繊維であり、
前記第２の保温層は、第２の繊維と、ポリエステル（ＰＥＴ）と、結合剤とが混合されて製作された中綿からなり、前記第２の繊維は、レーヨン繊維、リヨセル（ｌｙｏｃｅｌｌ）繊維、モダール（ｍｏｄａｌ）繊維、キュプロ（ｃｕｐｒｏ）繊維及び合成繊維からなる群から選ばれ、
前記第１の保温層と前記第２の保温層とが重ねられることを特徴とする掛布団。
【請求項２】
前記第１の保温層は、２０〜６０重量パーセントの第１の繊維と、４０〜８０重量パーセントのポリエステル繊維と、結合剤と、が混合されて製作された中綿からなり、
前記第２の保温層は、２０〜６０重量パーセントの第２の繊維と、４０〜８０重量パーセントのポリエステル繊維と、結合剤と、が混合されて製作された中綿からなることを特徴とする請求項１に記載の掛布団。
【請求項３】
前記結合剤は、繊維上にスプレー塗装されるガム類であることを特徴とする請求項１に記載の掛布団。
【請求項４】
前記結合剤は、低融点ポリエステル（ＰＥＴ）であって、
前記第１の保温層中には、５〜１５重量パーセントの低融点ポリエステルが含まれ、
前記第２の保温層中には、５〜１５重量パーセントの低融点ポリエステルが含まれることを特徴とする請求項１に記載の掛布団。
【請求項５】
前記第１の繊維の動物性タンパク繊維は、絹繊維及び羊毛繊維からなる群から選ばれることを特徴とする請求項１に記載の掛布団。
【請求項６】
前記第１の保温層と前記第２の保温層とは、互いに交差した複数本の縫い糸により固定されることを特徴とする請求項１に記載の掛布団。
【請求項７】
前記第１の保温層と前記第２の保温層との間には、通気層が形成され、
前記通気層中には、８５重量パーセントのポリエステルと、１５重量パーセントの低融点ポリエステルと、が含まれ、
前記ポリエステルは、１〜６デニールのポリエステルを含み、
前記低融点ポリエステルは２〜４デニールであることを特徴とする請求項１に記載の掛布団。
【請求項８】
前記第１の保温層及び前記第２の保温層は、１２０グラム/平方メートルであることを特徴とする請求項１に記載の掛布団。
【請求項９】
前記第１の保温層及び前記第２の保温層は、１２０グラム/平方メートルであり、
前記通気層は１００〜３００グラム／平方メートルであることを特徴とする請求項７に記載の掛布団。
【請求項１０】
スライドファスナーが周縁に設けられ、袋形状に形成され、前記第１の保温層及び前記第２の保温層のうちの一つが露出され、他方が内方へ向けられることを特徴とする請求項１に記載の掛布団。
【請求項１１】
掛布団本体を含む掛布団であって、
前記掛布団本体は、第１の保温層及び第２の保温層を含み、
前記第１の保温層は、第１の繊維と、ポリエステル（ＰＥＴ）繊維とが混合されて製作された中綿からなり、前記第１の繊維は動物性タンパク繊維であり、
前記第２の保温層は、第２の繊維と、ポリエステル（ＰＥＴ）とが混合されて製作された中綿からなり、前記第２の繊維は、レーヨン繊維、リヨセル（ｌｙｏｃｅｌｌ）繊維、モダール（ｍｏｄａｌ）繊維、キュプロ（ｃｕｐｒｏ）繊維及び合成繊維からなる群から選ばれ、
前記第１の保温層の前記中綿は、ニードルパンチング法により連結固定され、
前記第２の保温層の前記中綿は、ニードルパンチング法により連結固定され、
前記第１の保温層と前記第２の保温層とが重ねられて固定されることを特徴とする掛布団。
【考案の詳細な説明】
【技術分野】
【０００１】
本考案は、掛布団に関する。
【背景技術】
【０００２】
従来の掛布団は、天然繊維又は合成繊維をバラバラな状態の繊維にして開繊、梳綿などのステップを実施し、コンフォーターを成形する。しかし、このようなコンフォーターの欠点は結合力が弱いため、水洗いすることができない上、掛布団を長期間使用すると掛布団に屋内塵性ダニが入り込み、屋内塵性ダニを取り除くためには水洗いする必要があった。そのため、このような従来のコンフォーターは衛生上改善の余地があった。
【０００３】
従来の掛布団全体は同じ種類の繊維により縫製するか単一構造からなり、特性が単一であるため、同時に多種類の機能を得ることはできない。特に、保温上、保温及び通気性を兼備えることは容易でないため、気候に対応して快適な効果を得るために、冬用の掛布団と夏用の掛布団とが完全に異なる掛布団であり、不便であった。
【０００４】
ここで掛布団の温感は、体が接触する面の材料特性により決定され、人体を使った試験結果によると、人体との接触部分（掛布団の３分の１の体積）は使用効果に８０％以上の影響を与える。
【考案の概要】
【考案が解決しようとする課題】
【０００５】
本考案の目的は、保温、吸湿、通気性の特性を兼備え、冬でも夏でも使用可能な掛布団を提供することにある。
【課題を解決するための手段】
【０００６】
上記課題を解決するために、本考案の第１の形態によれば、掛布団本体を含む掛布団であって、前記掛布団本体は、第１の保温層及び第２の保温層を含み、前記第１の保温層は、第１の繊維と、ポリエステル（ＰＥＴ）繊維と、結合剤とが混合されて製作された中綿からなり、前記第１の繊維は動物性タンパク繊維であり、前記第２の保温層は、第２の繊維と、ポリエステル（ＰＥＴ）と、結合剤とが混合されて製作された中綿からなり、前記第２の繊維は、レーヨン繊維、リヨセル（ｌｙｏｃｅｌｌ）繊維、モダール（ｍｏｄａｌ）繊維、キュプロ（ｃｕｐｒｏ）繊維及び合成繊維からなる群から選ばれ、前記第１の保温層と前記第２の保温層とが重ねられることを特徴とする掛布団が提供される。
【考案の効果】
【０００７】
本考案の掛布団は、必要に応じて保温掛布団を裏返し、第１の保温層及び第２の保温層のうちの一つを身体貼付け層として用い、冬は暖かく夏は通気性のより涼しいため、快適である。
【図面の簡単な説明】
【０００８】
【図１】図１は、本考案の第１実施形態に係る掛布団を使用するときの状態を示す斜視図である。
【図２】図２は、本考案の第１実施形態に係る掛布団を示す斜視図である。
【図３】図３は、本考案の第１実施形態に係る掛布団を示す別の角度からの斜視図である。
【図４】図４は、本考案の第１実施形態に係る掛布団を示す断面図である。
【図５】図５は、本考案の他の実施形態に係る掛布団の応用例を示す斜視図である。
【図６】図６は、本考案の他の実施形態に係る掛布団の応用例を示す斜視図である。
【図７】図７は、本考案の第２実施形態に係る掛布団を示す斜視図である。
【図８】図８は、本考案の第２実施形態に係る掛布団を示す断面図である。
【考案を実施するための形態】
【０００９】
以下、本考案の実施形態について図に基づいて説明する。なお、これによって本考案が限定されるものではない。
【００１０】
（第１実施形態）
図１〜図４を参照する。図１〜図４に示すように、本考案の一実施形態に係る掛布団は、掛布団本体１０を含む。掛布団本体１０は、第１の保温層１１及び第２の保温層１２を含む。第１の保温層１１は、第１の繊維と、ポリエステル（ＰＥＴ）繊維と、結合剤とが混合されて製作された中綿（ｗａｄｄｉｎｇ）からなる。第１の繊維は、動物性タンパク繊維である。第２の保温層１２は、第２の繊維と、ポリエステル（ＰＥＴ）と、結合剤とが混合されて製作された中綿からなる。第２の繊維は、レーヨン繊維、リヨセル（ｌｙｏｃｅｌｌ）繊維、モダール（ｍｏｄａｌ）繊維、キュプロ（ｃｕｐｒｏ）繊維及び合成繊維からなる群から選ばれる。第１の保温層１１と第２の保温層１２とは重ねて固定される。
【００１１】
詳細には、第１の繊維の動物性タンパク繊維は、絹繊維、羊毛繊維などでもよい。第２の繊維は、レーヨン繊維又はリヨセル繊維でもよい。例えば、ＴＥＮＣＥＬ（登録商標）繊維でもよいし、モダール繊維、キュプロ繊維その他合成繊維などもよく、比較すると第１の繊維は保温性を有し、第２の繊維は汗を吸収して通気性を有する。また、結合剤は、低密度ポリエステル繊維（好適には５〜１５重量パーセント）であり、繊維上にスプレー塗装してもよい。好適には、第１の保温層１１は、２０〜６０重量パーセントの第１の繊維であり、４０〜８０重量パーセントのポリエステル繊維と結合剤とが混合されて製作された中綿からなる。第２の保温層１２は、２０〜６０重量パーセントの第２の繊維と、４０〜８０重量パーセントのポリエステル繊維と、結合剤とが混合されて中綿に製作される。勿論、結合剤は、ニードルパンチング法により代替し、これら繊維と中綿とを結合し、耐水洗濯性効果を得てもよい。
【００１２】
また、上述の繊維は、開繊、混紡などのステップを行ってから梳綿ステップを行って網状に形成し、加熱、スプレー塗装、ニードルパンチング法などの方式により製作される。
【００１３】
勿論、上述の繊維以外には、機能性薬剤を選択的に加えてスプレー塗装層として用いてもよい。機能性薬剤は、ダニ防止剤、抗菌剤、遠赤外線粉末、清涼剤配合薬剤、芳香性マイクロカプセル、ＰＣＭ調温マイクロカプセルなどでもよい。
【００１４】
実際には、第１の保温層１１と第２の保温層１２とをそれぞれ成形してから両者を結合させる。本実施形態の第１の保温層１１と第２の保温層１２とは、互いに交差した複数本の縫い糸１３により固定され、掛布団本体１０がカバー２０中のコンフォーターとして用いられ、使用する掛布団として用いてもよい。本考案の他の応用例では、図５及び図６に示すように掛布団本体１０を引っ繰り返して使用する寝袋３０などの製品として製作し、現在の気候に適合するように身体に接する面を引っ繰り返してもよい。詳細には、掛布団の周縁にスライドファスナーが設けられ、掛布団を袋形状に形成し、第１の保温層１１及び第２の保温層１２のうちの一つが露出され、他方が内方へ向けられる。
【００１５】
ここで、第１の保温層１１と第２の保温層１２との間には通気層１４が形成される。通気層１４は疎水性を有する。図７及び図８に示すように、通気層１４は、ポリエステル繊維により製作され、湿度吸収、通気性を高めることができる。好適には、通気層１４は、８５重量パーセントのポリエステルと、１５重量パーセントの低融点ポリエステルと、を含む。ポリエステルは、１〜６デニールのポリエステルを含む。低融点ポリエステルは２〜４デニールである。
【００１６】
本考案が提供する掛布団を検出機構へ送って試験した結果を以下（表１）及び（表２）に示す（４４０ｇｓｍ）。詳細には、２０〜４０歳の５人の男性を被験者として用い、同様に横たわって測定し、微気候温湿度信号記録装置により、胸部の真ん中の湿度及び温度を測定し、第１の保温層（Ａ面と略称する）と第２の保温層（Ｂ面と略称する）とを身体に貼り付けた。
【００１７】
【表１】
0003206974.tif 000003
【００１８】
【表２】
0003206974.tif 000004
【００１９】
上記（表１）及び（表２）を見ると分かるように、第１の保温層を身体に貼り付ける際、窩内微気候温度が第２の保温層を身体に貼り付けたときより１．２〜１．５℃高いとき、冷暖気候に応じて異なる面を身体貼付け面に用い、気候に適した保温効果を得ることができた。詳細には、冬季の場合、第１の保温層を身体貼付け面として用い、夏季の場合、第２の保温層を身体貼付け面として用いた。一般に、微気候平均温度が３３±１℃のときに身体は最も快適に感じることができた。上記（表１）及び（表２）から分かるように、第１の保温層又は第２の保温層を身体貼付け面として用いる場合でも、窩内微気候温度が最適な温度に保たれ、本考案の掛布団が気候の冷暖に関わらず理想的かつ快適な効果を提供することができる。
【００２０】
３９０ｇｓｍのサンプルを検査した結果を以下（表３）及び（表４）に示す。
【００２１】
【表３】
0003206974.tif 000005
【００２２】
【表４】
0003206974.tif 000006
【００２３】
（表４）を見ると分かるように、３９０ｇｓｍサンプルのＡ、Ｂ面の昇温温度変化は、１５℃、２０℃、２５℃であるときそれぞれ１．４℃、１．４℃、１．０℃であり、４４０ｇｓｍサンプルのＡ、Ｂ面の昇温温度変化は、１５℃、２０℃、２５℃であるときそれぞれ１．４℃、１．４℃、１．１℃となり、１℃を超えた。環境温度変化が１０℃であるとき（１５℃及び２５℃と比べ）、３９０ｇｓｍのサンプルＡ面の温度変化は０．３℃であり、Ｂ面の温度変化は０．７℃であり、４４０ｇｓｍサンプルのＡ面の温度変化は０．３℃であり、Ｂ面の温度変化は０．６℃であった。このことから分かるように、環境温度変化が１０℃であるとき、Ａ，Ｂ微気候温度がともに１℃より小さく、この環境下においてＡ，Ｂ面を裏返して使用する場合、その微気候温度変化が１℃より大きいため、１０℃の転回と称される。消費者は自分の身体が感じる必要性に応じてＡ又はＢを選択し、最適な使用効果を得ることができる。
【００２４】
詳細には、第１の保温層１１及び第２の保温層１２は１２０グラム/平方メートルであり、通気層は１００〜３００グラム／平方メートルであり、最適な保温効果及び通気効果を得ることができる。
【００２５】
上述したことから分かるように、本考案の掛布団は、必要に応じて使用する身体貼付け面を有し、気候の冷暖に応じて裏返して使用し、快適に使用することができ、四季に関わらず何時でも使用することができ、耐水洗濯性能を有して進歩性を有する。
【符号の説明】
【００２６】
１０    掛布団本体
１１    第１の保温層
１２    第２の保温層
１３    縫い糸
１４    通気層
２０    カバー
３０    寝袋
【図１】
0003206974.tif 000007
【図２】
0003206974.tif 000008
【図３】
0003206974.tif 000009
【図４】
0003206974.tif 000010
【図５】
0003206974.tif 000011
【図６】
0003206974.tif 000012
【図７】
0003206974.tif 000013
【図８】
0003206974.tif 000014